(57)【要約】【課題】再生バッテリーや新品バッテリーを顧客に対して安価に且つ安定的に供給可能なバッテリーの再生サービスシステムを提供する。【解決手段】顧客１０が使用するバッテリーのメンテナンス情報を管理する管理事業体１２と、顧客１０から中古バッテリーを回収して、再生バッテリーを製造する再生事業体１４と、顧客１０に新品バッテリーを供給する供給事業体１６との間で、情報交換ネットワークを形成して、管理事業体１２から通知されるメンテナンス情報に基づいて、再生事業体１４が中古バッテリーの回収と再生バッテリーの納入を行う一方、再生事業体１４から通知される不足品情報に基づいて、供給事業体１６が新品バッテリーの供給を行うように構成した。【選択図】図１
2008097900.tif 000002
【特許請求の範囲】
【請求項１】
顧客が使用するバッテリーのメンテナンス時期を含むメンテナンス情報を管理する管理事業体と、該顧客から中古バッテリーを回収し、再生処理して、再生バッテリーを製造すると共に、該再生バッテリーを該顧客に納入する再生事業体と、該顧客に新品バッテリーを供給する供給事業体とを含み、
それら管理事業体と再生事業体と供給事業体との間で、相互に情報を交換するネットワークが形成されて、該再生事業体が、該管理事業体から該ネットワークを利用して通知される前記メンテナンス情報に基づいて、前記顧客からの前記中古バッテリーの回収と、該顧客への前記再生バッテリーの納入とを行うと共に、該顧客が使用するバッテリーのうちで、該中古バッテリーの回収によって不足するバッテリーや、該再生バッテリーの納入時に、該再生バッテリーの欠品によって不足するバッテリーの不足品情報を、前記ネットワークを利用して、前記供給事業体に通知することにより、該供給事業体が、該不足品情報に基づいて、該顧客への前記新品バッテリーの供給を行うように構成したことを特徴とするバッテリーの再生サービスシステム。
【請求項２】
前記中古バッテリーが鉛蓄電池であって、且つ前記再生バッテリーが、該中古バッテリーの電解液に対して、水系で炭素陽極の電解酸化により得られた炭素懸濁液からなる再生剤を添加することにより再生処理されて、製造されるものである請求項１に記載のバッテリーの再生サービスシステム。
【請求項３】
前記新品バッテリーが、鉛蓄電池であって、且つ電解液に対して、水系で炭素陽極の電解酸化により得られた炭素懸濁液が添加されてなるものである請求項１又は請求項２に記載のバッテリーの再生サービスシステム。
【請求項４】
前記新品バッテリーと前記再生バッテリーの改良に関する研究を行う研究事業体を更に含んで構成されている請求項１乃至請求項３のうちの何れか１項に記載のバッテリーの再生サービスシステム。
【発明の詳細な説明】
【技術分野】
【０００１】
本発明は、バッテリーの再生サービスシステムに係り、特に、顧客が使用する車両用のバッテリーが、交換時期となったときに、その中古バッテリーを回収、再生して、再生バッテリーを納入乃至は返納し、また不足が生じたときには、新品バッテリーを供給するようにしたバッテリーの再生サービスシステムに関するものである。
【背景技術】
【０００２】
一般に、自動車や自動二輪車等の一般車両やフォークリフト等の特殊車両等には、スターター用バッテリーや駆動用バッテリー等として、鉛蓄電池からなる車両用バッテリーが、搭載されているが、それらのバッテリーは、何れも、通常、２〜３年程度で廃棄され、その都度、新品バッテリーと交換される。それ故、そのようなバッテリーを搭載する車両を数多く使用する運送会社等の事業所（事業体）では、車両の維持費のうちで、バッテリーの交換に掛かる費用が大きな割合を占めており、それが多大な経済負担となっている。
【０００３】
また、よく知られているように、鉛蓄電池からなるバッテリーは、鉛や硫酸等、人体や環境に有害な物質を含んでいるため、使用済みとなったものを一般の廃棄物として廃棄することが出来ない。そのため、従来では、例えばバッテリーメーカー等が主体となったバッテリーのリサイクルシステムが活用されて、バッテリーのリサイクルが実施されていた（例えば、下記特許文献１参照）。つまり、このリサイクルシステムでは、先ず、使用済みのバッテリーが、バッテリーメーカーや専門の回収業者等によって回収されて、専門の処分業者に引き渡される。そして、かかる処分業者にて、使用済みバッテリーから再生鉛が製造され、更に、バッテリーメーカーにより、再生鉛が用いられて、新品バッテリーが製造される仕組みとなっている。
【０００４】
ところが、このような従来のバッテリーのリサイクルシステムにおいては、使用済みバッテリーが、バッテリー使用者（ユーザー）から回収業者等に無償で引き渡されるものであるため、ユーザーにとって、経済的メリットを十分に得られるものではなかったのである。
【０００５】
かかる状況下、バッテリーのメンテナンス契約を締結した顧客ユーザーから、交換が必要となった中古バッテリーを回収し、この回収された中古バッテリーに対して、例えば、パルス充電方式や薬液投入方式等による再生処理を施して、再生バッテリーを製造し、そして、この再生バッテリーを顧客に納入乃至は返納するサービスも、中古バッテリーの再生技術を有する再生事業体（再生事業者）の一部にて実施されている。
【０００６】
このようなバッテリーの再生サービスシステムによれば、従来では廃棄されていた使用済みバッテリーの電極板に加えて、バッテリー全体が再利用されるため、使用済みバッテリーの廃棄量が飛躍的に減少せしめられ得るだけでなく、バッテリーユーザーである顧客が、バッテリーの交換時に、新品バッテリーを購入する必要が解消されるか、若しくはその購入数が効果的に削減され、それによって、経済的メリットを十分な享受し得ることとなるのである。
【０００７】
しかしながら、かくの如き従来のバッテリーの再生サービスシステムには、以下のような幾つかの問題が、内在していた。
【０００８】
すなわち、回収される中古バッテリーの中には、本体や電極板の破損や損傷、或いはその他の原因で再生不可能となっているものもある。そのため、従来システムによるバッテリーの再生サービスを実施する際には、顧客に対するバッテリーの安定供給を図る上で、再生不可能で欠品となったバッテリーの不足分を補充し得るように、再生事業体が、新品バッテリーを在庫として常備しておくことを余儀なくされる場合がある。そうした場合には、再生事業体に対して、余分な経済負担が強いられるようになってしまうのである。
【０００９】
しかも、従来システムにおいて、例えば、顧客への再生バッテリーの効率的且つタイムリーな納入等を含む、顧客に対するサービス性の向上を図るには、顧客が使用するバッテリーの種類や個数、更には各バッテリーの使用寿命等のメンテナンス情報を正確に且つ積極的に把握し、管理することが好ましい。然るに、そのような顧客の情報管理を行う場合、顧客数が増加すればする程、複雑で面倒な作業が要求され、しかもその情報管理のための設備も大がかりなものが必要となる。それ故、従来のバッテリーの再生サービスシステムでは、顧客数の増大に伴って、再生事業体に掛かる負担が、単に経済面だけでなく、労力面においても不可避的に増大するといった問題も、内在していたのである。
【００１０】
【特許文献１】特開２００２−２２４６５０
【発明の開示】
【発明が解決しようとする課題】
【００１１】
ここにおいて、本発明は、上述せる如き事情を背景にして為されたものであって、その解決課題とするところは、顧客が使用する車両用バッテリーが交換時期となったときに、その中古バッテリーを回収、再生して、再生バッテリーを納入乃至は返納し、また不足が生じたときには、新品バッテリーを供給するようにしたバッテリーの再生サービスシステムにおいて、かかるシステムを構成する事業体個々のものに対して余分な経済負担や労力負担を掛けることなく、顧客に対する再生バッテリーや新品バッテリーの安定的且つ効率的な納入乃至は供給を有利に実現可能としたシステム構造を提供することにある。
【課題を解決するための手段】
【００１２】
そして、本発明にあっては、かかる課題の解決のために、その要旨とするところは、顧客が使用するバッテリーのメンテナンス時期を含むメンテナンス情報を管理する管理事業体と、該顧客から中古バッテリーを回収し、再生処理して、再生バッテリーを製造すると共に、該再生バッテリーを該顧客に納入する再生事業体と、該顧客に新品バッテリーを供給する供給事業体とを含み、それら管理事業体と再生事業体と供給事業体との間で、相互に情報を交換するネットワークが形成されて、該再生事業体が、該管理事業体から該ネットワークを利用して通知される前記メンテナンス情報に基づいて、前記顧客からの前記中古バッテリーの回収と、該顧客への前記再生バッテリーの納入とを行うと共に、該顧客が使用するバッテリーのうちで、該中古バッテリーの回収によって不足するバッテリーや、該再生バッテリーの納入時に、該再生バッテリーの欠品によって不足するバッテリーの不足品情報を、前記ネットワークを利用して、前記供給事業体に通知することにより、該供給事業体が、該不足品情報に基づいて、該顧客への前記新品バッテリーの供給を行うように構成したことを特徴とするバッテリーの再生サービスシステムにある。なお、本明細書において中古バッテリーとは、廃バッテリーや使用済みバッテリー、更には未だ使用可能ではあるものの、使用寿命に近いバッテリー等を含み、長期使用により、十分な電気量の安定した放電が不能乃至は困難となったバッテリーを言う。
【００１３】
このような本発明に従うバッテリーの再生サービスシステムの好ましい態様の一つによれば、前記中古バッテリーが鉛蓄電池であって、且つ前記再生バッテリーが、該中古バッテリーの電解液に対して、水系で炭素陽極の電解酸化により得られた炭素懸濁液からなる再生剤を添加することにより再生処理されて、製造されるものにて、構成される。
【００１４】
また、かかる本発明の別の好ましい態様の一つによれば、前記新品バッテリーが、鉛蓄電池であって、且つ電解液に対して、水系で炭素陽極の電解酸化により得られた炭素懸濁液が添加されてなるものにて、構成される。
【００１５】
さらに、かかる本発明の望ましい他の態様の一つによれば、前記新品バッテリーと前記再生バッテリーの改良に関する研究を行う研究事業体を更に含んで構成される。
【発明の効果】
【００１６】
すなわち、本発明に従うバッテリーの再生サービスシステムにおいては、顧客が使用するバッテリーのメンテナンス情報の管理と、顧客からの中古バッテリーの回収及び再生バッテリーの製造と、顧客からの中古バッテリーの回収時や顧客への再生バッテリーの納入時にバッテリーの不足が発生した際に、かかる不足分に充てられる新品バッテリーの供給とが、それぞれ、別個の専門の事業体にて行われるようになっている。そのため、再生バッテリーを製造する再生事業体のみにて構成された従来システム等とは異なって、顧客情報の管理業務を行うための設備及び労力が管理事業体のみによって、また中古バッテリーの回収業務や再生バッテリーの製造業務を行うための設備及び労力が再生事業体のみによって、更に新品バッテリーの供給業務を行うための設備及び労力が供給事業体のみによって、それぞれ専門化されて、分担されており、以て、バッテリーの再生サービスの実施に際して、それら各事業体において、専門業務以外に費やされる余分な設備コストや労力負担を強いられることが、効果的に解消され得る。
【００１７】
また、本発明システムでは、管理事業体と再生事業体と供給事業体との間で形成されたネットワークにより、異分野の事業体同士が、あたかも一事業体の如く、互いに合理的に連携され、そして、かかるネットワークを利用した情報交換により、交換時期となった中古バッテリーの回収及び再生バッテリーの納入と、再生バッテリーの欠品によって生じた不足分に充てられる新品バッテリーの供給とが、顧客が必要とする適正な種類のものにおいて、適正な数量で、しかも遅滞なく、適正な時期に、それぞれ行われ得る。
【００１８】
従って、かくの如き本発明に従うバッテリーの再生サービスシステムによれば、そのシステムを構成する事業体個々のものに対して余分な経済負担や労力負担を掛けることなく、顧客が必要とする再生バッテリーや新品バッテリーの安定的且つ効率的な納入乃至は供給が、有利に実現され得る。そして、その結果として、顧客に対して、再生バッテリーと新品バッテリーとを、何れも、より安価に提供することが可能となって、顧客が使用するバッテリーの交換コストを極めて有利に低下させることが出来る。また、それに加えて、中古バッテリーの廃棄量を飛躍的に減少させることが可能となり、以て、環境汚染の解消に大きく寄与し得ることとなるのである。
【発明を実施するための最良の形態】
【００１９】
以下、本発明を更に具体的に明らかにするために、本発明の構成について、図面を参照しつつ、詳細に説明することとする。
【００２０】
先ず、図１には、本発明に従うバッテリーの再生サービスシステムの構成が、概略に示されている。かかる図１において、１０は、本実施形態に係るバッテリーの再生サービスシステムを利用する顧客であり、例えば運送会社等、トラックやフォークリフト等の車両を、多数、保有する事業体（事業者）で、鉛蓄電池からなる、多くの車両用バッテリーを使用するバッテリーユーザーである。
【００２１】
そして、ここでは、そのような顧客１０と締結されるメンテナンス契約に基づいて、顧客１０が使用するバッテリーを再生し、或いは再生不可能なバッテリーに代えて、新品バッテリーを供給するサービスシステムが、管理事業体１２と再生事業体１４と供給事業体１６と研究事業体１８とを含んで、構築されている。
【００２２】
より具体的には、管理事業体１２は、顧客１０との間でバッテリーのメンテナンス契約を締結し、顧客１０から通知されるメンテナンス情報、つまり、顧客１０が使用するバッテリーのうち、使用寿命や破損、損傷等により交換が必要となった中古バッテリーの交換時期や、種類、個数等の情報を管理するコンピュータ等の設備を有している。そして、本実施形態のバッテリー再生サービスシステムにおいては、かかる管理事業体１２が、メンテナンス情報に基づいて実施されるバッテリーの再生サービスの実質的な運営、及び統括業務を行うようになっている。
【００２３】
なお、この管理事業体１２と顧客１０との間で締結されるバッテリーのメンテナンス契約は、例えば、顧客１０が、定期的に一定の金額を管理事業体１２に支払い、それに対して、管理事業体１２が、顧客１０が使用するバッテリーのうちで、使用寿命となるか、或いは破損乃至は損傷して、交換が必要となったバッテリーを、回数の制限無く、交換乃至は供給することにより、バッテリーのメンテナンスを行うといった内容のものである。また、管理事業体１２が管理するメンテナンス情報は、例えば、顧客１０から管理事業体１２への通知により、管理事業体１２にて取得されるか、或いは、管理事業体１２が、顧客１０との契約の締結時点で、顧客１０が使用するバッテリーの使用開始日等を予め把握しておくこと等により、顧客１０からの通知なしに、管理事業体１２にて、独自に分析、取得される。
【００２４】
そして、ここでは、特に、かかる管理事業体１２が、延命活性化液を製造する設備を有している。この延命活性化液は、例えば、特開平９−４５３７９号公報に開示される構造を有する鉛蓄電池用電解液、つまり、水系で炭素陽極の電解酸化によって得られた炭素懸濁液であって、バッテリーの電極を活性化させる性能を有するものである。そして、このような延命活性化液にあっては、新品バッテリーに対して、補充液として、電解液に添加されることにより、新品バッテリーの性能を大幅に向上させると共に、長寿命化を達成することが出来る。また、延命活性化液は、長期使用によって劣化し、十分な充放電が不可能となった中古バッテリーを再生処理する再生剤としても利用出来、かかる延命活性化液を再生剤として、中古バッテリーの電解液に添加することによって、中古バッテリーを、再び、十分な充放電が可能なように再生し得るだけでなく、性能の向上と使用寿命の延命化とを有利に実現することが出来る。
【００２５】
一方、再生事業体１４は、バッテリーを運搬する設備と、中古バッテリーを再生処理して、再生バッテリーを製造する設備とを有している。そして、顧客１０が使用するバッテリーのうち、交換が必要となった中古バッテリー（廃バッテリーを含む）を回収し、また、それら回収したバッテリーのうちで再生可能な中古バッテリーに対して再生処理を行って、再生バッテリーを製造すると共に、この製造された再生バッテリーを、顧客１０に納入乃至は返納する業務が、かかる再生事業体１４にて行われるようになっている。
【００２６】
また、供給事業体１６は、少なくとも、バッテリーを運搬する設備と、新品バッテリーを所定の数だけストックし得る設備とを有している。そして、顧客１０が使用するバッテリーのうちで、破損乃至は損傷等により使用乃至は再生不可能となった廃バッテリーの代わりに、新品バッテリーを顧客１０に供給する業務が、供給事業体１６にて行われるようになっている。なお、この供給事業体１６は、顧客１０に供給する新品バッテリーを自らが新品バッテリーの製造設備を有し、この設備で製造された新品バッテリーを顧客１０に供給するものであっても良いし、また、新品バッテリーの製造設備を何等有することなく、新品バッテリーを、他の事業体等から受け入れて、顧客１０に供給するものであっても良い。
【００２７】
さらに、研究事業体１８は、管理事業体１２が製造する延命活性化液の性能評価や、かかる延命活性化液の改良のための研究設備とを有しており、延命活性化液の性能評価と改良の研究とが、研究事業体１８が独自で、或いは管理事業体１２と共同して、行われるようになっている。
【００２８】
而して、本実施形態では、上記の如き専門の設備を有して、専門の業務をそれぞれ行う管理事業体１２と再生事業体１４と供給事業体１６と研究事業体１８との間で、例えばコンピュータや電話等の通信装置を使用した情報交換のネットワークが形成されて、それら各事業体１２〜１８が互いに連携せしめられている。そして、このネットワークを利用した各事業体同士の情報交換に基づいて、例えば、下記のようにして、顧客１０が使用するバッテリーのメンテナンスが実施されるようになっているのである。
【００２９】
すなわち、ここでは、管理事業体１２が管理するメンテナンス情報により、顧客１０が使用するバッテリーのうちの幾つかにおいて交換が必要となったと判断されたときに、ネットワークを利用して、管理事業体１２から再生事業体１４に対して、交換が必要な中古バッテリーの交換時期や種類、個数等を含むメンテナンス情報が通知される。また、そのような情報通知と別に、管理事業体１２にて製造された前記延命活性化液が、管理事業体１２から再生事業体１４に対して、所定の量だけ供給される。なお、この延命活性化液の供給は、管理事業体１２から再生事業体１４へのメンテナンス情報の通知と同時に供給されるか、或いはそれよりも前に、予め供給される。
【００３０】
そして、管理事業体１２から再生事業体１４へのメンテナンス情報の通知により、交換が必要な中古バッテリーの全てが、再生事業体１４にて顧客１０から回収される。その後、回収された中古バッテリーに対して、再生処理が行われる。そうして、回収された中古バッテリーから再生バッテリーが製造される。なお、このような再生事業体１４による再生バッテリーの製造時には、管理事業体１２から供給される延命活性化液が、再生剤として使用されて、中古バッテリーの電解液中に添加される。これによって、再生バッテリーの性能の向上と使用寿命の延命化とが図られる。
【００３１】
そしてまた、かかる中古バッテリーの回収時には、それよりも前に顧客１０から回収されて、上記のようにして製造された再生バッテリーのうちで、回収された中古バッテリーと同一種類のものが、同一の数だけ、回収バッテリーと交換する形態で、顧客１０に納入されることとなる。
【００３２】
しかしながら、顧客１０からの中古バッテリーの回収が、顧客１０が管理事業体１２とメンテナンス契約を締結してから始めてのときには、それよりも前に回収された中古バッテリーがなく、従って納入すべき再生バッテリーも存在しないため、顧客１０に納入すべき再生バッテリーの全品が欠品となる。また、例えば、以前に回収された中古バッテリーがあっても、そのうちの幾つかが、破損乃至は損傷等しているために、再生不可能となっているときにも、顧客１０に納入すべき再生バッテリーに欠品が生ずる。
【００３３】
そこで、本実施形態では、再生事業体１４から顧客１０への再生バッテリーの納入時に、欠品によって不足するバッテリーの種類や個数等を含む不足品情報が、再生事業体１４から供給事業体１６に、ネットワークを利用して通知される。そうして、そのような不足品情報に基づいて、供給事業体１６から顧客１０に対して、新品バッテリーが、不足分だけ供給されるようになっている。また、ここでは、管理事業体１２から供給事業体１６に対して、延命活性化液が、随時、或いは必要に応じて供給されている。そして、かかる延命活性化液が、供給事業１６によって、新品バッテリーの電解液に添加され、それによって、新品バッテリーの性能の向上と使用寿命の延命化とが図られている。
【００３４】
なお、供給事業体１６から再生事業体１４には、供給事業体１６が在庫として有する新品バッテリーの種類や個数等の在庫情報や、不足品情報に基づいて、顧客１０に供給した新品バッテリーの納品情報等を含む新品バッテリー情報が、ネットワークを利用して、必要に応じて、適宜に通知されるようになっている。
【００３５】
また、管理事業体１２と再生事業体１４との間においては、再生バッテリーの製造ノウハウ（中古バッテリーの再生ノウハウ）の他、延命活性化液を使用して製造した再生バッテリーの改良、及び再生バッテリーに使用される延命活性化液の改良のために、かかる再生バッテリーの性能等に関する評価データや改良技術情報等を含む再生バッテリーの評価・開発情報が、ネットワークを利用して、相互に交換されている。更に、管理事業体１２と供給事業体１６との間でも、延命活性化液を添加した新品バッテリーの改良、及び新品バッテリーに添加される延命活性化液の改良のために、かかる新品バッテリーの性能等に関する評価データや改良技術情報等を含む新品バッテリーの評価・開発情報が、ネットワークを利用して、相互に交換されている。
【００３６】
そして、ここでは、再生事業体１４や供給事業体１６から管理事業体１２に送られる、上記せる再生バッテリーの評価・開発情報や新品バッテリーの評価・開発情報等が、管理事業体１２から研究事業体１８に、ネットワークを利用して通知される。そうして、そのような情報を基に、延命活性化液の更なる性能評価と改良研究とが、研究事業体１８において、単独で、或いは管理事業体１２と共同して、行われるようになっている。
【００３７】
かくして、本実施形態においては、より優れた特性を有する延命活性化液が、再生事業体１４や供給事業体１６、更には顧客１０に対しても供給されるようになっている。そして、顧客１０に供給された延命活性化液は、顧客１０が現時点で使用している、交換時期となる前のバッテリーに添加されて、かかるバッテリーの性能の向上と使用寿命の延命化とが図られている。
【００３８】
このように、本実施形態に係るバッテリーの再生サービスシステムにおいては、専門の設備を有して、専門の業務をそれぞれ行う管理事業体１２と再生事業体１４と供給事業体１６と研究事業体１８とが、互いに役割分担をした上で、顧客１０が使用するバッテリーを再生し、また不足分を補填するメンテナンスサービスが実施されるようになっている。しかも、それら異分野の事業体同士が、ネットワークにより、あたかも一事業体の如く、互いに合理的に連携されている。
【００３９】
従って、かくの如き本実施形態に係るバッテリーの再生サービスシステムによれば、管理事業体１２と再生事業体１４と供給事業体１６と研究事業体１８のそれぞれのものに対して余分な経済負担や労力負担を掛けることなく、顧客１０が必要とする再生バッテリーや新品バッテリーの安定的且つ効率的な納入乃至は供給が、有利に実現され得る。そして、その結果として、顧客に対して、再生バッテリーと新品バッテリーとを、何れも、より安価に提供することが可能となって、顧客１０が使用するバッテリーの交換コストを極めて有利に低下させることが出来る。また、それに加えて、中古バッテリーの廃棄量を飛躍的に減少させることが可能となり、以て、環境汚染の解消に大きく寄与し得ることとなるのである。
【００４０】
また、本実施形態では、特に、延命活性化液が、管理事業体１２から、再生事業体１４と供給事業体１６と顧客１０とに対してそれぞれ供給されるようになっている。そして、かかる延命活性化液が、再生バッテリーや新品バッテリー、更には顧客１０が使用中のバッテリーに添加されて、それら各バッテリーの性能の向上と使用寿命の延命化とが図られており、以て、顧客１０が使用する全てのバッテリーの交換回数や廃棄量の削減が、更に効果的に達成され得るのである。
【００４１】
以上、本発明の具体的な構成について詳述してきたが、これはあくまでも例示に過ぎないものであって、本発明は、上記の記載によって、何等の制約をも受けるものではない。
【００４２】
例えば、中古バッテリーの回収と、再生バッテリーの納入と、新品バッテリーの供給とを行う業務を、再生事業体１４や供給事業体１６とは独立した運搬事業体が、役割分担して、行うように構成しても良い。
【００４３】
また、使用乃至は再生不能となったバッテリーを分解して、リサイクル処理するリサイクル事業体を、バッテリーの再生サービスシステムに組み込むことも、可能である。
【００４４】
さらに、中古バッテリーの再生処理方法は、電解液中に延命活性化を添加する方法に代えて、或いはそれに加えて、公知の手法が、適宜に採用され得る。
【００４５】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【図面の簡単な説明】
【００４６】
【図１】本発明に従うバッテリーの再生サービスシステムの一実施形態の構成を概略的に示すブロック説明図である。
【符号の説明】
【００４７】
１０  顧客
１２  管理事業体
１４  再生事業体
１６  供給事業体
１８  研究事業体
【図１】
2008097900.tif 000003